(57)【要約】【課題】洗浄処理によって有機ヒ素化合物を汚染土壌から効率よく抽出除去することにより、有機ヒ素化合物による環境リスクを大幅に低減して、土地の健全な利用を可能ならしめる浄化方法を提供する。【解決手段】有機ヒ素化合物汚染土壌の洗浄剤は、水酸化ナトリウムを含有する水溶液、リン酸もしくはその塩を含有する水溶液、硫酸を含有する水溶液、塩酸を含有する水溶液、酒石酸もしくはその塩を含有する水溶液、クエン酸もしくはその塩を含有する水溶液、またはシュウ酸もしくはその塩を含有する水溶液、のいずれかにより構成される。本発明の浄化方法は、有機ヒ素化合物汚染土壌を上記洗浄剤で処理することにより、有機ヒ素化合物を除去する。【選択図】図３
2005169162.tif 000002
【特許請求の範囲】
【請求項１】
水酸化ナトリウムを含有する水溶液により構成される有機ヒ素化合物汚染土壌の洗浄剤。
【請求項２】
リン酸もしくはその塩、硫酸、塩酸、酒石酸、クエン酸もしくはその塩、またはシュウ酸もしくはその塩のいずれか１種以上の成分を含有する水溶液により構成される有機ヒ素化合物汚染土壌の洗浄剤。
【請求項３】
請求項１または２において、有機ヒ素化合物が、フェニルアルソン酸、ジフェニルアルシン酸またはビスジフェニルアルシンオキサイドであることを特徴とする、有機ヒ素化合物汚染土壌の洗浄剤。
【請求項４】
請求項１から３のいずれか１項に記載の洗浄剤で汚染土壌を洗浄処理することを特徴とする、有機ヒ素化合物汚染土壌の浄化方法。
【請求項５】
有機ヒ素化合物で汚染された土壌を採取する土壌採取工程と、
採取された汚染土壌に、水酸化ナトリウムを含有する水溶液、リン酸もしくはその塩を含有する水溶液、硫酸を含有する水溶液、塩酸を含有する水溶液、酒石酸もしくはその塩を含有する水溶液、クエン酸もしくはその塩を含有する水溶液、またはシュウ酸もしくはその塩を含有する水溶液、のいずれかを混合することにより、土壌中の有機ヒ素化合物を水溶液中に移行させる抽出工程と、
前記有機ヒ素化合物を含む水溶液と土壌とを分離する固液分離工程と、
を含むことを特徴とする、有機ヒ素化合物汚染土壌の浄化方法。
【発明の詳細な説明】
【技術分野】
【０００１】
本発明は、不適切に処分された旧式の化学兵器等に由来する有機ヒ素化合物で汚染された土壌の浄化に関するものであり、更に詳しくは、有機ヒ素化合物で汚染された土壌から有機ヒ素化合物を高効率で抽出除去することにより、有機ヒ素化合物による環境リスクを大幅に減らして、土地の健全な利用を可能にする汚染土壌の洗浄剤および浄化方法に関する。
【背景技術】
【０００２】
２００２年８月に茨城県神栖町の住民の間に、有機ヒ素化合物で汚染された井戸水の継続的摂取による健康被害が発生していることが判明した（非特許文献１）。土壌及び井戸水からは、有機ヒ素化合物であるジフェニルアルシン酸、ビスジフェニルアルシンオキサイド、フェニルアルソン酸が検出された。これらの化合物は、いずれもヒ素原子（Ａｓ）にフェニル基（Ｃ６Ｈ５−）が結合したものであり、ヒ酸（Ｈ３ＡｓＯ４）、亜ヒ酸（Ｈ３ＡｓＯ３）などの無機ヒ素化合物とは性質を全く異にするものである。以下に代表的な有機ヒ素化合物および無機ヒ素化合物の構造式を記載する。
【０００３】
【化１】
2005169162.tif 000003
［ここで、（Ｉ）はジフェニルアルシン酸、（II）はビスジフェニルアルシンオキサイド、（III）はフェニルアルソン酸、（IV）はヒ酸、（V）は亜ヒ酸を示す］
有機ヒ素化合物は、親油性を有し、無機ヒ素化合物は親水性を示す。汚染原因となった有機ヒ素化合物はくしゃみ作用や嘔吐作用を催す旧式の化学兵器に由来するものとされている。つまり、第二次世界大戦終結時に不適切に埋立て処分された化学剤が地中で加水分解、酸化などの反応を経て生成したものと考えられている。
【０００４】
こうした有機ヒ素化合物に係る問題を根本的に解決するためには、埋立てられた化学剤を掘り出して二次汚染を引き起こさないよう適宜処分するとともに、有機ヒ素化合物で汚染された土壌を確実に浄化する必要がある。
【０００５】
ヒ素で汚染された土壌の浄化には、これまでにいくつかの方法が提案されているが（例えば、特許文献１〜３）、それらは全て無機ヒ素化合物を対象としたものであり、有機ヒ素化合物で汚染された土壌の浄化技術はこれまでに開発されていない。
【０００６】
このため、化学兵器由来の有機ヒ素化合物そのものの処理を目的として加熱法が提案されている（非特許文献２）。これは、有機ヒ素化合物を酸化分解して無機ヒ素化することにより、土壌から除去しようとするものである。しかし、後述するように、有機ヒ素で汚染された土壌を単に加熱しても大部分のヒ素は土壌中に残留したままであり、汚染土壌を浄化することは困難である。即ち、有機ヒ素による土壌汚染問題を解決するため、加熱法に替わる技術が求められている。
【０００７】
【特許文献１】特開平１１−１５６３３８号公報
【特許文献２】特開２００１−２２５０５２号公報
【特許文献３】特許第３４０７０３９号公報
【非特許文献１】「第１１回ヒ素シンポジウム講演要旨集」［（２００３年１０月）石井一弘、玉岡晃、大塚藤男；ジフェニルアルシン酸等による井戸水汚染と健康影響］
【非特許文献２】内閣府ホームページ［http://www8.cao.go.jp/ikikagaku/index.html］
【発明の開示】
【発明が解決しようとする課題】
【０００８】
本発明は、洗浄処理によって有機ヒ素化合物を汚染土壌から効率よく抽出除去することにより、有機ヒ素化合物による環境リスクを大幅に低減して、土地の健全な利用を可能ならしめる浄化技術を提供することを目的とする。
【課題を解決するための手段】
【０００９】
本発明は、上記課題を達成するために、まず、有機ヒ素化合物と各種土壌または粘土試料との相互作用を解析し、その結果に基づいて模擬汚染土壌を調製した。模擬汚染土壌では、モデル有機ヒ素化合物としてフェニルアルソン酸を用い、モデル土壌としてフェニルアルソン酸との吸着性が高い黄褐色森林土を用いた。
【００１０】
以上のように調製した模擬汚染土壌を用いて、数多くの薬剤による洗浄処理の有効性について、試行錯誤を繰返した結果、意外にも水酸化ナトリウム、リン酸またはその塩、硫酸、塩酸、酒石酸またはその塩、クエン酸またはその塩、シュウ酸またはその塩のいずれか１種以上を含有する水溶液は、有機ヒ素化合物に対して特異的な洗浄作用を持つことを見出し、本発明を完成した。
【００１１】
すなわち、本発明の第１の態様は、水酸化ナトリウムを含有する水溶液により構成される有機ヒ素化合物汚染土壌の洗浄剤である。
【００１２】
本発明の第２の態様は、リン酸もしくはその塩、硫酸、塩酸、酒石酸、クエン酸もしくはその塩、またはシュウ酸もしくはその塩のいずれか１種以上の成分を含有する水溶液により構成される有機ヒ素化合物汚染土壌の洗浄剤である。
【００１３】
本発明の第３の態様は、第１または第２の態様において、有機ヒ素化合物が、フェニルアルソン酸、ジフェニルアルシン酸またはビスジフェニルアルシンオキサイドであることを特徴とする、有機ヒ素化合物汚染土壌の洗浄剤である。
【００１４】
本発明の第４の態様は、第１から第３のいずれか１の態様の洗浄剤で汚染土壌を洗浄処理することを特徴とする、有機ヒ素化合物汚染土壌の浄化方法である。
【００１５】
本発明の第５の態様は、有機ヒ素化合物で汚染された土壌を採取する土壌採取工程と、採取された汚染土壌に、水酸化ナトリウムを含有する水溶液、リン酸もしくはその塩を含有する水溶液、硫酸を含有する水溶液、塩酸を含有する水溶液、酒石酸もしくはその塩を含有する水溶液、クエン酸もしくはその塩を含有する水溶液、またはシュウ酸もしくはその塩を含有する水溶液、のいずれかを混合することにより、土壌中の有機ヒ素化合物を水溶液中に移行させる抽出工程と、前記有機ヒ素化合物を含む水溶液と土壌とを分離する固液分離工程と、を含むことを特徴とする、有機ヒ素化合物汚染土壌の浄化方法である。
【発明の効果】
【００１６】
本発明によれば、有機ヒ素化合物で汚染された土壌から、有機ヒ素化合物を短期間で簡単に、かつ高い効率で抽出除去できる。
【発明を実施するための最良の形態】
【００１７】
＜洗浄剤＞
本発明の洗浄剤は、その好ましい態様において、水酸化ナトリウムを含有する水溶液、リン酸もしくはその塩を含有する水溶液、硫酸を含有する水溶液、塩酸を含有する水溶液、酒石酸もしくはその塩を含有する水溶液、クエン酸もしくはその塩を含有する水溶液、またはシュウ酸もしくはその塩を含有する水溶液、のいずれかにより構成される。
【００１８】
本発明の処理対象としては、有機ヒ素化合物で汚染された土壌であれば、特に制限はない。後述するように、土壌の種類によって、有機ヒ素化合物の吸着性が大きく相違するが、本発明の洗浄剤は、どのような種類の土壌にも有効である。勿論、汚染土壌の種類に応じて、洗浄液の有効成分を選択することもできる。なお、土壌の物理的もしくは化学的性質は浄化効率に影響を与えると考えられるため、洗浄効果を高める目的で、必要に応じて、例えば粉砕、分級、脱水、ｐＨ調整などの前処理操作を土壌に施すことができる。
【００１９】
汚染物質である有機ヒ素化合物としては、前記したジフェニルアルシン酸、ビスジフェニルアルシンオキサイド、フェニルアルソン酸が例示される。これらの物質は、いずれも親油性であり、自然状態では長期間に渡って土壌中に残留し続ける。
【００２０】
本発明の洗浄剤の有効成分は、水酸化ナトリウム、リン酸もしくはその塩、硫酸、塩酸、酒石酸もしくはその塩、クエン酸もしくはその塩、またはシュウ酸もしくはその塩である。ここで、塩としては、ナトリウム塩、カリウム塩等が例示され、リン酸の塩としてはリン酸ナトリウム、リン酸水素ナトリウム（リン酸二水素ナトリウム、リン酸水素二ナトリウム）、リン酸カリウム、リン酸水素カリウム（リン酸二水素カリウム、リン酸水素二カリウム）等、酒石酸の塩としては酒石酸ナトリウム、酒石酸カリウム等、クエン酸の塩としてはクエン酸ナトリウム、クエン酸カリウム等、シュウ酸の塩としてはシュウ酸ナトリウム、シュウ酸カリウム等を挙げることができる。
【００２１】
本発明では、上記有効成分を単独で含む水溶液だけでなく、例えば２種以上の酸を組み合わせて含有する水溶液を調製して洗浄剤とすることもできる。
【００２２】
洗浄剤における有効成分の種類や濃度は、土壌の種類やその状態（含水率、ｐＨ、粒径など）、有機ヒ素化合物の種類や汚染濃度などに応じて適宜選定することができる。特に、水溶液中の有効成分濃度は限定されるものではなく、一般に濃度が高いほどヒ素除去作用も高まると考えられるが、経済的観点からは、除去作用を奏する範囲で出来るだけ濃度を低くすることが好ましい。例えば、水酸化ナトリウムを含有する水溶液における水酸化ナトリウムの濃度は、１Ｎ以下が好ましく、０．０５Ｎ〜０．５Ｎ程度がより好ましい。また、リン酸もしくはその塩を含有する水溶液におけるリン酸もしくはその塩の濃度は、１０％以下が好ましく、０．５〜５％程度がより好ましい。硫酸を含有する水溶液における硫酸の濃度は、１０％以下が好ましく、１〜５％程度がより好ましい。塩酸を含有する水溶液における塩酸の濃度は、１０％以下が好ましく、１〜５％程度がより好ましい。酒石酸もしくはその塩における酒石酸もしくはその塩の濃度は、２０％以下が好ましく、５〜１５％程度がより好ましい。クエン酸もしくはその塩を含有する水溶液におけるクエン酸もしくはその塩の濃度は２０％以下が好ましく、５〜１５％程度がより好ましい。シュウ酸もしくはその塩を含有する水溶液におけるシュウ酸もしくはその塩の濃度は、１０％以下が好ましく、１〜５％程度がより好ましい。以上に例示したように、本発明では、比較的低濃度のアルカリまたは酸水溶液により浄化が可能なため、薬品の使用量や排水処理の負担が少なく、経済性も高い。
【００２３】
また、洗浄剤としての上記水溶液中には、有機ヒ素化合物に対する洗浄作用を損なわない範囲で、例えば界面活性剤等を添加することができる。界面活性剤の添加により、洗浄剤が稠密土壌層にも浸透して、土壌中の有機ヒ素化合物の溶出が促進される場合がある。
【００２４】
＜有機ヒ素化合物汚染土壌の浄化方法＞
本発明に係る浄化方法は、有機ヒ素化合物汚染土壌を前記洗浄剤で処理することにより実施される。洗浄剤による処理の一例として、例えば、有機ヒ素化合物で汚染された土壌を採取し（土壌採取工程）、採取された汚染土壌に、前記洗浄剤を混合することにより、土壌中の有機ヒ素化合物を水溶液中に移行させ（抽出工程）、次いで有機ヒ素化合物を含む水溶液と土壌とを分離すること（固液分離工程）により実施される。
【００２５】
より具体的には、有機ヒ素化合物汚染土壌を掘削などの手段で地中から採取し、所定の洗浄装置に搬入した後、水溶液を適量添加して、攪拌機などにより混合攪拌を行った後、水溶液と土壌を遠心分離、濾別、静置分離などの方法で固液分離する方法を挙げることができる。有機ヒ素化合物の抽出に際しては、混合攪拌を行うことによって、土壌粒塊中の有機ヒ素化合物の溶出を促し、有機ヒ素化合物を水溶液中に効率よく移行させることができる。また、固液分離に際しては、必要に応じてカチオン性ポリマーなどの凝集剤を添加して土壌成分を凝集沈降させてもよい。
【００２６】
また、浄化方法の別の態様として、汚染土壌をカラムに充填し、カラム上部または底部から洗浄液を通液する方法で実施することもできる。更に別の態様として、汚染土壌を容器に取り、これに洗浄液を加えて所定時間浸漬した後、洗浄液を容器底部から排出する方法で実施することも可能である。
【００２７】
以上の処理過程では、予め常温〜９０℃程度までの温度に加温した水溶液を使用したり、加温しながら抽出操作を実施したりすることにより、抽出効率を向上させ得る場合がある。また、洗浄剤として用いる水溶液の量は特に制限されず、汚染土壌の容量に対して過剰に使用することを妨げないが、有機ヒ素化合物抽出後の排水処理を考慮すると、汚染土壌に対する体積比で１／２〜１０倍程度の範囲で適用することが好ましい。
【００２８】
以上のように土壌を処理することによって、抽出されたヒ素を含む洗浄液が回収される。この回収洗浄液は、排水として処理することもできるが、ヒ素濃度及び溶解土壌成分の濃度が所定値に達するまで洗浄剤として循環使用することも可能である。
【００２９】
また、汚染土壌の浄化処理においては、単一の洗浄剤だけでなく、有効成分やその濃度が異なる二以上の洗浄剤（例えば、リン酸と塩酸、１％リン酸と３％リン酸など）を用いて、多段階の洗浄処理を順次実施してもよい。
【００３０】
＜作用＞
前記化学構造式の相違から理解されるように、有機ヒ素化合物は、従来土壌汚染の原因となっていた無機ヒ素化合物とは化学的性質が大きく異なる。有機ヒ素化合物は親油性であるため、酸やアルカリの水溶液では十分に抽出できないことが予測された。このため、本発明者らは、当初メタノール、エタノールなどのアルコール類を使用して抽出を試みたが、後記比較例に示すように好ましい結果は得られなった。
【００３１】
土壌中の有機ヒ素化合物は、ヒ素原子が酸素原子を介して土壌中に含まれる水酸化鉄中の鉄原子や、水酸化アルミニウム中のアルミニウム原子と化学吸着しているため、親和性の高い溶媒でも簡単には溶出しないと考えられる。また、加熱法も試みたが、後記比較例に示すように揮散・分解温度以上でも充分な除去効果は得られなかった。
【００３２】
しかし、試行錯誤の結果、前記予測に反して、特定のアルカリや酸の水溶液を用いることにより、アルコール類による洗浄や加熱処理に比較して顕著な抽出、洗浄効果が得られることが実験的に確認された。土壌中の有機ヒ素化合物に対して、特定の酸水溶液やアルカリ水溶液による抽出が有効であること（換言すれば、特定の酸やアルカリの水溶液が土壌中の有機ヒ素化合物を除去する作用を有すること）は、本発明者らによって初めて見出された知見である。
【００３３】
以下、実施例、比較例を挙げ、本発明をさらに詳細に説明するが、本発明はこれらによって制約されるものではない。なお、実施例等において、模擬汚染土壌の調製、加熱処理実験、および洗浄実験は以下に示す手順によって行った。
【００３４】
＜模擬汚染土壌の調製＞
３リットル容のポリエチレンビン中で初期濃度４６２ｐｐｍ（ヒ素として）、初期ｐＨ２.９３のフェニルアルソン酸水溶液２リットルを調製した。これに約１ｋｇの黄褐色森林土（茨城県つくば市で採取）を添加し、室温下で振とう器にて横方向（振幅１０ｃｍ）に５日間振とうした。上澄み液を除去し、約１リットルの脱イオン水を加え洗浄した。この操作を３回繰り返した。
【００３５】
得られたスラリーを定性ろ紙を用いてろ過し、ろ過ケーキを風乾した後、更に減圧下で乾燥し、密閉ポリエチレンビン中で保存した。この擬似汚染土壌のヒ素含有量は８９７ｍｇ／ｋｇであった。
【００３６】
＜加熱処理実験手順＞
上記模擬汚染土壌４ｇを磁性ボート（幅１７ｍｍ×長さ１００ｍｍ×深さ１２ｍｍ）にとり、筒状電気炉中に設置した石英管（内径１８ｍｍ×長さ１０００ｍｍ）に挿入した。キャリヤーガスとして空気または窒素ガスを流速２５０ｍｌ／ｍｉｎで通気すると共に、電気炉に通電して試料温度を２００℃、４００℃、６００℃として３０分間保持した。
【００３７】
石英管から出てきたキャリヤーガスは、２本のガス洗浄ビンに通して、気相中のヒ素を捕集した。一番目のガス洗浄ビンにはメタノールを、二番目には１Ｎ水酸化ナトリウム溶液を、それぞれ２００ｍｌ入れた。
【００３８】
得られたメタノール及び水酸化ナトリウム溶液中のヒ素濃度をグラファイトファーネス原子吸光光度法で測定した。また、加熱処理後の土壌試料は、ＥＰＡ  ３０５０Ｂ（米国環境保護庁が定めた試料分解法：method 3050B）の方法に従って、硝酸及び過酸化水素で分解した後、ＩＣＰ発光分光法でヒ素濃度を測定し、土壌中に残留したヒ素の量を求めた。
【００３９】
＜洗浄実験手順＞
３５ｍｌ容ポリカーボネート製遠心沈殿管に模擬汚染土壌１ｇと洗浄剤水溶液２５ｍｌを入れ、２０℃に保持した恒温槽中で振とう器にて横方向（振幅１０ｃｍ）に所定時間振とうした。ついで、冷凍機付き高速遠心機を用いて９，０００ｒｐｍで２０分間遠心分離し、分離した上澄液を孔径０.２μｍのメンブレンフィルタでろ過した。得られたろ液について、ヒ素濃度をＩＣＰ発光分析法またはグラファイトファーネス原子吸光光度法により、またアルミニウム、鉄、マグネシウム、カルシウム、シリカ濃度をＩＣＰ発光分析法により測定した。
【００４０】
参考例１
有機ヒ素化合物と土壌との相互作用の解析：
土壌試料として、擬似グライ化黄褐色森林土、黄褐色森林土（１）、黄褐色森林土（２）、硫酸酸性質グライ土、鹿沼土、黒ボク土、黒ボク質グライ土、湿性腐植型ポドゾル土、赤黄色土（１）、赤黄色土（２）および火山灰、また、粘土試料としてカオリナイト（Kaolinite）＃１１０１、ディッカイト（Dickite）＃１３０１、パイロフィライト（Pyrophyllite）＃２１０１、モンモリロナイト(Montmorillonite)＃３１０１、モンモリロナイト(Montmorillonite)＃３１０２、セリサイト（Sericite）＃５１０１、へき開セリサイト（Cleavage Sericite）＃５１０２および頁岩粘土、の合計１９種類のサンプルについてフェニルアルソン酸吸着試験を行った。
【００４１】
それぞれのサンプル約０.２５ｇを３５ｍｌ容ポリカーボネート製遠心沈殿管にとり、初濃度１４.１ｐｐｍ（ヒ素として）、初期ｐＨ４.００のフェニルアルソン酸水溶液２５ｍｌを添加した。この遠心沈澱管を、２０℃に保持した恒温槽中で振とう器にて横方向（振幅１０ｃｍ）に所定時間振とうした。ついで、冷凍機付き高速遠心機を用いて９，０００ｒｐｍで２０分間遠心分離し、分離した上澄液を孔径０.４５μｍのメンブレンフィルタでろ過した。得られたろ液について、ヒ素濃度をグラファイトファーネス原子吸光光度法で測定した。その結果を図１に示す。
【００４２】
図１より、フェニルアルソン酸は、カオリナイト及び頁岩粘土を除く粘土試料にはほとんど吸着されなかった。土壌試料では、土壌の種類によってフェニルアルソン酸の吸着率が大きく変化した。土壌試料の中でも、擬似グライ化黄褐色森林土、黄褐色森林土（１）、硫酸酸性質グライ土は高い吸着率を示した。この試験により、有機ヒ素化合物の土壌への吸着性は、土壌成分の種類によって大きな差があることが示された。
【００４３】
比較例１
加熱法による浄化試験：
前記加熱処理実験手順に従って、模擬汚染土壌を空気または窒素ガス雰囲気下で２００℃、４００℃または６００℃で加熱した。いずれの場合も、ガス洗浄ビン中のメタノール及び水酸化ナトリウム溶液中のヒ素濃度は微量であり、加熱処理によってヒ素はほとんど揮散しないことが認められた。
【００４４】
一方、図２に示すように、加熱処理後の土壌には、加熱前を基準にして８０〜１１８％のヒ素が残留していることが認められた。このことから、フェニルアルソン酸で汚染された土壌を単に加熱するだけでは、土壌から除去することは困難であることが示された。
【００４５】
フェニルアルソン酸の融点は１５８〜１６２℃であり、融解は分解を伴って起ることから、２００℃以上の加熱温度であれば完全に分解・気化すると予測された。しかし、実験結果のように２００℃以上に加熱してもヒ素は除去できなかった。ヒ素が揮散しなかった理由として、後述するように、土壌成分にフェニルアルソン酸が化学的に強く捕捉されていることが推測される。また、４００℃以上でも土壌中のヒ素が揮散しなかったのは、フェニルアルソン酸が三酸化二ヒ素に酸化分解されるだけで、土壌中に留まるためと考えられる。
【００４６】
実施例１〜１１および比較例２〜１４
洗浄法：
前記洗浄実験手順に従い、模擬汚染土壌を表１に示す洗浄剤で処理した。
【００４７】
【表１】
2005169162.tif 000004
得られた結果を図３に示す。土壌中のフェニルアルソン酸は水やアルコール類ではほとんど溶出してこなかったが、実施例１〜１１の特定の酸またはアルカリ水溶液（本発明洗浄剤）では顕著な溶出が確認された。特に、０.１Ｎ水酸化ナトリウムや、３.４％リン酸、１.１％リン酸、２重量％リン酸二水素カリウム、３.８％硫酸、１.３％硫酸などの鉱酸及びその塩で非常に高いヒ素除去率が得られた。また、１０重量％酒石酸、１０重量％クエン酸、２重量％シュウ酸ナトリウムなどの有機酸及びその塩でも５０％以上の高いヒ素除去率が得られた。
【００４８】
フェニルアルソン酸は、水、メタノール、エタノール、イソプロピルアルコールにある程度可溶であるものの、模擬汚染土壌中のフェニルアルソン酸をこれらの溶媒で洗浄処理してもほとんど溶出しなかった。これは、フェニルアルソン酸のヒ素原子が酸素原子を介して土壌中の水酸化鉄中の鉄原子や、水酸化アルミニウム中のアルミニウム原子に化学吸着して捕捉された状態にあるためと考えられる。
【００４９】
なお、以上の実験はフェニルアルソン酸を用いて実施したが、フェニルアルソン酸とジフェニルアルシン酸とは類似性が高いため、本発明の洗浄剤はジフェニルアルシン酸で汚染された土壌の浄化にも有効なことは自明であり、ビスジフェニルアルシンオキサイドなど他の有機ヒ素化合物に対する除去効果も類推可能な範囲内である。
【００５０】
以上、本発明を種々の実施形態に関して述べたが、本発明は上記実施形態に制約されるものではなく、特許請求の範囲に記載された発明の範囲内で、他の実施形態についても適用可能である。
【産業上の利用可能性】
【００５１】
本発明は、有機ヒ素化合物で汚染された土壌の浄化、再生に利用可能である。
【図面の簡単な説明】
【００５２】
【図１】土壌種によるフェニルアルソン酸の吸着特性を示すグラフ図面。
【図２】加熱処理した模擬汚染土壌におけるヒ素残留量を示すグラフ図面。
【図３】各種洗浄剤による模擬汚染土壌からの有機ヒ素化合物の除去率を示すグラフ図面。
【図１】
2005169162.tif 000005
【図２】
2005169162.tif 000006
【図３】
2005169162.tif 000007